(57)【要約】      （修正有）【課題】そのままバインダー等に綴じ込む事のできるファイリング書類を提供する。【解決手段】少なくとも表紙及び裏表紙からなるファイリング書類において、裏表紙の表紙との連結部側の中央部に、連結部を形成する織状テープの長尺部分の端部に当接する当接部を折り代とする山形の矩形の切取り部を形成させる。【選択図】図１
0003157366.tif 000002
【実用新案登録請求の範囲】
【請求項１】
少なくとも表紙１及び裏表紙２からなるファイリング書類Ａにおいて、該裏表紙２の表紙１との連結部３側の中央部４に、連結部３を形成する織状テープ４の長尺部分の端部５に当接する当接部６を折り代とする山形の矩形の切取り部７を形成させたことを特徴とするファイリング書類Ａである。
【請求項２】
書類が冊子である事を特徴とする請求項１記載のファイリング書類。
【請求項３】
書類の織状テープが折り曲げ用スジ加工であることを特徴とする請求項１記載のファイリング書類。
【考案の詳細な説明】
【技術分野】
【０００１】  本考案は、学習や記録などに使用するノートやパンフレットに関するものであり、綴じ代を織物テープで綴じられたものに関するものである。
【背景技術】
【０００２】  従来、クリアホルダーや案内冊子、社内報などの各種冊子類であるファイリング書類を各種バインダーに綴じる場合、二通りの方法で行なうのが一般的であった。すなわち一つの方法は、綴じることを前提として製本段階で、穴加工を施し製品とする場合と、他の方法は製品として穴加工がされていない場合に使用者が自らパンチ穴を開ける場合である。
またクリアファイルは数枚の書類を一次保管するために、また移送する際の皺を防止するために使用するものであるが、整理保管する場合は、そのままバインダー等にとじることができなかった。
クリアホルダーからの書類の脱落防止のために切込みによる舌片をクリアホルダーの開放側近傍に形成して脱落防止を可能としたものが提案（特開２００６−３１２２９４）されているが、ファイリングまでの提案ではない。（特許文献１）
またクリアホルダーのファイリングを目的とした提案（特開２０００−１９０６７５）がされているが、ファイリングの目的では極めて有効な提案であるが、ホルダーより大きな被収納物の一部を収納し、他の部分を袋体の外で折り畳んでファイリングできるようにしたものである。該方法はシートの面積が大きくなるためコストアップが想定される。（特許文献２）
これらを解決するものとして、比較的厚手に構成されたクリアファイルをリングファイルなどに綴じ込めるようにするとともに、リングファイルへの綴じ込み枚数を多くできるようにし、しかも、リングファイルへ綴じ込まない状態で使用する場合にも不便を来さないようなクリアファイルを、上辺部と左右いずれかの側辺部に連続した開口部を設け、当該開口部から書類を収納できるようにしたクリアファイルにおいて、左右いずれかの側辺部の外側にリングファイルのリングに綴じ込むための綴孔を有する突出片を設けたことを特徴とするクリアファイルとして特開２００８−１３２６４５号公報（特許文献３）があるが、構造が複雑であり、コスト高の要因がある。【０００３】
【特許文献１】特開２００６−３１２２９４号公報
【特許文献２】特開２０００−１９０６７５号公報
【特許文献３】特開２００８−１３２６４５号公報
【考案の開示】
【考案が解決しようとする課題】
【０００４】  製品段階で、穴あけ加工が施されているノートの場合は、穴あけ加工によって、記帳済みの内容や、冊子の場合は印刷面が欠損するので、記帳や内容デザインはそれを考慮しなくてはならず、デザイン上の制約を受け、さらには表紙の外観の見栄えを損なう事となっていた。また、本文の全てのページに穴が開くことによってのデザイン上の制約（穴の部分を避けるデザインを行なうことは、大きなデザイン上の制約を受ける）と、見栄えを損なうことは、デザイン上の解決策は未だ無くデザイン上の考慮がされていない。【０００５】  また、製品としては穴あけ加工が施されていないノートに、使用者が穴を開けようとする場合、次のような欠点があった。デザインの段階で、穴あけ加工が前提とされていないので、パンチ穴開け器などによって穴を開けた場合、その部分が欠損し、多くの場合、文章の一部などの重要な部分が欠落してしまうこととなっている。【０００６】  さらに、予め穴が開けられているノートや冊子の場合、バインダーに閉じられた状態での内容閲覧をする場合にバインダーの留め金具が邪魔になって、ノートや冊子の中央部分が閲覧できないこととなる。
これらを解消しようとすると穴あけ加工が事前に施されている冊子の場合、中央の奥の部分（製本用語のノドの部分）を大きく取らざるを得ず、紙面デザインに大きな制約があった。【０００７】  クリアホルダーの場合は、そもそもその目的が書類の仮保護のためであり、綴じることの要求があるもののそのような考慮がされていない。
これらを一挙に解決する事が、本考案の課題である。
【課題を解決するための手段】
【０００８】  本考案は、かかる従来の課題を解決するものである。
本考案は、各種ノートや冊子の裏表紙部分に、背表紙となり表紙および裏表紙にわずかに表れた綴じるための織状テープの部分を残し、ミシン目を入れ、一部切り離し可能な舌状体（綴じ代）をつくり、そこに各種バインダーの留め金具に合致した、穴加工を施し、必要に応じて、その舌状体（綴じ代）を切り離し、起こすことによって、各種バインダーに、簡便に綴じることを実現するため、少なくとも表紙及び裏表紙からなる織状テープにより綴じられたノートにおいて、該裏表紙の背表紙、表紙との一体化された連結テープ状の織状テープの部分を残し中央部に、連結部を折り代とする山型の矩形の切取り部を形成させ、該切取り部にはバインダー用の穴を二箇所形成させたことを特徴とするファイリング可能なノートである。【０００９】  本考案により、バインダーに綴じる部分（以下、綴じ代）は、次のような機能を果たす。
充分な強度が期待できる製本テープなどの織状テープにより、該織状テープとの境界に折り目を有することとなるため、バインダーに綴じた時も充分な強度が得られ、また裏表紙１枚に加工するため、デザイン上の制約は、最小限となる。さらに本文に穴が開かないので、本文におけるデザイン上の制約はなくなる。また、綴じ代は、ノート本体の外側に出るため、バインダーに綴じた場合、バインダーの留め金具に邪魔されることがなくなり、完全に開くことができる。
また、綴じ代は、ノート本体の外側に出るため、厚手のノートでも、バインダーに綴じ易く、閲覧も、バインダーの留め金具に邪魔されることなく、快適である。
さらにまた、完全に、各ページを開くことができるので、特に、いわゆる中綴じ製本による冊子の場合には、見開きデザイン（左右、両ページにまたがるデザイン）も自由である。（いわゆる、製本用語の、ノド部分を考慮しなくてもよい。）など多くの効果が期待できるものである。【００１０】  綴じ代部分は、製品の段階では、裏表紙に組み込まれているので、使用者が、バインダーに綴じない場合は、冊子の体裁は、従来のままである。使用者が、バインダーに綴じようとする時、綴じ代は、ミシン目が入っているので、簡単に、綴じ代を切り離し、起こすことができる。
また、綴じ代部分の穴は、２穴バインダー、３０穴バインダー兼用の穴が開いている  ので、市販の各種バインダーに対応する。【００１１】  本考案を実施例に従って説明する。
本考案は図１に示すように、少なくとも表紙１及び裏表紙２からなるファイリング書類Ａにおいて、該裏表紙２の表紙１との連結部３側の中央部に、連結部３を形成する織状テープ４の長尺部分の端部５に当接する当接部６を折り代とする山形の矩形の切取り部７をミシン目状に形成させたことを特徴とするファイリング書類Ａである。
上記切取り部７には、バインダー等に綴じるための孔８が二箇所に、該孔８の中央部４の中央から上下に４０ｍｍの位置を中心に８ｍｍφの孔８が形成されている。
また、３０穴のバインダーにも対応するように、該綴じ孔８・８間に５ｍｍφの８個の小孔９を形成することにより、３０穴バインダーに対応させることも可能である。従って、当接部６、切取り部７及び綴じ孔８により綴じ代１０が形成されることとなる。【００１２】  図２は、図１を表紙１から見たときの斜視図であるが、表紙１側からは切取り部７が見えないこととなる。【００１３】  本考案をバインダー等に綴じ込む場合は、切取り部７の山形の矩形部分の予め施した切り取り線に従って切り取り、後方へ起こすことにより綴じ代１０を形成するものである。（図３）【００１４】  図４は、図３を表紙１から見た場合の正面斜視図であり、冊子類などの書類Ａの左側に綴じ代１０が突出形成されている。【００１５】  他の実施例について、本考案を図５と図６により説明する。
図５は冊子などの書類Ａの場合であり、前記実施例と同様に、少なくとも表紙１及び裏表紙２からなり、折り曲げ用スジ加工部１１からなる書類Ａにおいて、該裏表紙２の表紙１との連結部３側の中央部に、連結部３を折り代とする山形の矩形の切取り部７を形成させたことを特徴とするファイリング書類Ａである。
また図６は、織状テープ４を広幅にし、切取り部７を織状テープ４内に形成したものである。
上記切取り部７には、バインダー等に綴じるための綴じ孔８が二箇所に、中央部４の中央から上下に４０ｍｍの位置を中心に８ｍｍの綴じ孔８が形成されている。
また、３０穴のバインダーにも対応するように、該綴じ孔８・８間に８個の小孔９を形成することにより、３０穴バインダーに対応させることも同様に可能である。【００１６】  本考案の書類Ａは、織状テープからなるものであれば、ノート、社内報や拡販用カタロ  グなどの冊子、薄手の読み物などの重量がさほどないものに供することが最良である。
【考案を実施するための最良の形態】
【００１７】  以下、本発明の好適な実施形態を説明する。
綴じ代１０となる山形突出長さは孔８の強度に関係するが、書類の厚みに応じて設計されるが１８ｍｍ〜２０ｍｍほど突出させることが望ましい。
また、孔８は３０穴用の小孔９よりも大きく形成することにより、３０穴用のバインダーの寸法誤差吸収を可能とする。
なお、本明細書において特に言及している事項（例えばノート）以外の事柄であって本考案の実施に必要な事柄（例えば社内報等）は、当該分野における当業者の設計事項として変更可能であり、発明を限定するものではない。
【産業上の利用可能性】
【００１８】  本考案は、使用済みのノートを記録として保存しようとする時に極めて有効であり、またその作成のためのコストも極めて僅かであるなどその利用価値は極めて大きい。
本実施例においては裏表紙に綴じ代を形成する場合について詳述したが右開きや左開き等によって、表紙に綴じ代を形成しても本考案の技術的範囲にぞくするものであり、任意に実施し得るものである。【００１９】  以上説明したように本考案は、本来使用の後、保存情報として綴じ込むことが可能となるばかりでなく書類の内容デザインに制約がなく孔開けによる文字やデザインの欠落もない短期保存書類の提供が実現できる。
【図面の簡単な説明】
【００２０】
【図１】  本考案の実施例を示す印刷物の背面図を示す斜視図である。
【図２】  図１の正面よりの斜視図である。
【図３】  図１の使用状態を示す背面よりの斜視図である。
【図４】  図１の使用状態を示す正面よりの斜視図である。
【図５】  本考案の他の実施例を示す斜視図である。
【図６】  本考案の他の実施例を示す斜視図である。
【符号の説明】
【００２１】Ａ  ファイリング書類
１  表紙
２  裏表紙
３  連結部
４  織状テープ
５  端部
６  当接部
７  切取り部
８  綴じ孔
９  小孔
１０  綴じ代
１１  スジ加工部
【図１】
0003157366.tif 000003
【図２】
0003157366.tif 000004
【図３】
0003157366.tif 000005
【図４】
0003157366.tif 000006
【図５】
0003157366.tif 000007
【図６】
0003157366.tif 000008
【手続補正書】
【提出日】平成21年11月11日(2009.11.11)
【手続補正２】
【補正対象書類名】実用新案登録請求の範囲
【補正対象項目名】全文
【補正方法】変更
【補正の内容】
【実用新案登録請求の範囲】
【請求項１】
少なくとも表紙及び裏表紙からなるファイリング書類において、該裏表紙の表紙との連結部側の中央部に、連結部を形成する織状テープの長尺部分の端部に当接する当接部を折り代とする山形の矩形の切取り部を形成させたことを特徴とするファイリング書類。
【請求項２】
書類が冊子である事を特徴とする請求項１記載のファイリング書類。
【請求項３】
書類の織状テープが折り曲げ用スジ加工してあることを特徴とする請求項１記載のファイリング書類。
【手続補正３】
【補正対象書類名】明細書
【補正対象項目名】００１１
【補正方法】変更
【補正の内容】
【００１１】  本考案を実施例に従って説明する。
本考案は図１に示すように、少なくとも表紙１及び裏表紙２からなるファイリング書類Ａにおいて、該裏表紙２の表紙１との連結部３側の中央部に、連結部３を形成する織状テープ４の長尺部分の端部５に当接する当接部６を折り代とする山形の矩形の切取り部７を形成させたことを特徴とするファイリング書類Ａである。
上記切取り部７には、バインダー等に綴じるための孔８が二箇所に、該孔８の中央部から上下に４１ｍｍの位置を中心に８ｍｍφの孔８が形成されている。
また、３０穴のバインダーにも対応するように、該綴じ孔８・８間に５ｍｍφの８個の小孔９を形成することにより、３０穴バインダーに対応させることも可能である。従って、当接部６、切取り部７及び綴じ孔８により綴じ代９が形成されることとなる。
【手続補正３】
【補正対象書類名】明細書
【補正対象項目名】００１５
【補正方法】変更
【補正の内容】
【００１５】  他の実施例について、本考案を図５と図６により説明する。
冊子などの書類Ａの場合であり、前記実施例と同様に、少なくとも表紙１及び裏表紙２からなり、折り曲げ用スジ加工からなる書類Ａにおいて、該裏表紙２の表紙１との連結部３側の中央部に、連結部３を折り代とする山形の矩形の切取り部５を形成させたことを特徴とするファイリング書類Ａである。
上記切取り部７には、バインダー等に綴じるための綴じ孔８が二箇所に、該綴じ孔８の中央部から上下に４１ｍｍの位置を中心に８ｍｍの綴じ孔８が形成されている。
また、３０穴のバインダーにも対応するように、該綴じ孔８・８間に８個の小孔１０を形成することにより、３０穴バインダーに対応させることも同様に可能である。